(57)【要約】【課題】蓋本体２１の開閉を繰り返しても防水性能が低下しない、電子機器における蓋の防水構造を提供すること。【解決手段】ロック片３５が摺動可能に係合する円弧形の係合凸条４４の厚みが先端から後端へ漸増しているので、ロック摘み３０の摘み本体３１の回転角度が増すほどロック片３５のフック３５ａの係合位置における係合凸条４４の厚みが大きくなり、その結果、蓋本体３１が第１シール部材２５を格納室用開口１８の周囲に押圧する力及び第２シール部材２７と第３シール部材３２をそれぞれ第１ガイド開口１９と第２ガイド開口２０の周囲に押圧する力が漸増する。蓋本体２１のボディ１１への組み付け箇所にガタが生じた場合、ロック摘み３０の摘み本体３１の回転角度を大きくすることにより防水性能を維持できる。【選択図】図５
2014052483.tif 000002
【特許請求の範囲】
【請求項１】
電子機器のボディに設けられた格納室の格納室用開口を開閉可能に覆蓋する蓋の防水構造であって、
一端をボディに回動可能に組み付けた蓋本体と、
蓋本体の裏面に固着され、蓋本体で格納室用開口を覆蓋したとき格納室用開口の周囲に圧接する第１シール部材と、
蓋本体の他端に回転可能に組み込まれたロック摘みを備え、
ロック摘みの裏面にロック片を一体に設け、
ボディに、蓋本体で格納室用開口を覆蓋したときロック片が進入するとともに、蓋本体で格納室用開口を覆蓋してロック摘みを回転させたときロック片の回動を許容する円弧形のガイド開口を形成し、
ボディに、蓋本体で格納室用開口を覆蓋してロック摘みを回転させたときロック片が摺動可能に係合するとともに、ガイド開口の始端側から終端側へその厚みが漸増する係合凸条をガイド開口の側縁に沿って形成し、
蓋本体で格納室用開口を覆蓋したときガイド開口の周囲に圧接する第２シール部材を蓋本体の裏面に固着し、
蓋本体で格納室用開口を覆蓋したときガイド開口の周囲に圧接する第３シール部材をロック摘みの裏面に固着したことを特徴とする蓋の防水構造。
【請求項２】
蓋本体の一端に係合部を形成し、ボディに被係合部を形成し、係合部を被係合部に係合することにより蓋本体をボディに着脱可能かつ回動可能に組み付けたことを特徴とする請求項１に記載の蓋の防水構造。
【発明の詳細な説明】
【技術分野】
【０００１】
本発明はデジタルカメラやノートパソコン等の電子機器における蓋の防水構造に関し、より詳しくはこの種電子機器のボディに設けられたバッテリやメモリカード等を格納する格納室の格納室用開口を開閉可能に覆蓋する蓋の防水構造に関する。
【背景技術】
【０００２】
デジタルカメラの一形式として、特開２０１１−１９０９３２号公報には、カメラボディに設けられたバッテリの格納室の格納室用開口を開閉可能に覆蓋する蓋の防水構造が開示されている。
【０００３】
このデジタルカメラの蓋の防水構造では、蓋本体の一端をヒンジで開閉可能にボディに組み付け、蓋本体で開口を閉じたとき、格納室用開口の周囲に圧接するシール部材を蓋本体の裏面に固着している。
蓋本体の他端にはロック爪が進退可能に組み込まれ、蓋本体を閉じてロック爪を前進させたときロック爪が係合する突起がボディに設けられている。
【先行技術文献】
【特許文献】
【０００４】
【特許文献１】特開２０１１−１９０９３２号公報
【発明の概要】
【発明が解決しようとする課題】
【０００５】
上記した従来の蓋の防水構造では、蓋本体を閉じてロック爪を前進させ、突起に係合させて蓋をロックすると、シール部材が一定の押圧力で格納室用開口の周囲に圧接し、圧接したシール部材によって開口から水が浸入するのを防止している。
このような蓋の防水構造では、蓋本体の開閉を繰り返すうちにヒンジにガタが生ずると、シール部材を格納室用開口の周囲に押圧する力が低下し、防水性能が低下する。
本発明はかかる問題点に鑑み、蓋本体の開閉を繰り返しても防水性能が低下しない、電子機器における蓋の防水構造を提供することを目的とする。
【課題を解決するための手段】
【０００６】
請求項１に記載の発明は、電子機器のボディに設けられた格納室の格納室用開口を開閉可能に覆蓋する蓋の防水構造であって、
一端をボディに回動可能に組み付けた蓋本体と、
蓋本体の裏面に固着され、蓋本体で格納室用開口を覆蓋したとき格納室用開口の周囲に圧接する第１シール部材と、
蓋本体の他端側に形成した貫通孔に回転可能に組み込まれたロック摘みを備え、
ロック摘みの裏面にロック片を一体に設け、
ボディに、蓋本体で格納室用開口を覆蓋したときロック片が進入するとともに、蓋本体で格納室用開口を覆蓋してロック摘みを回転させたときロック片の回動を許容する円弧形のガイド開口を貫通穴の周辺部に形成し、
ボディに、蓋本体で格納室用開口を覆蓋してロック摘みを回転させたときロック片が摺動可能に係合するとともに、ガイド開口の始端側から終端側へその厚みが漸増する係合凸条をガイド開口の側縁に沿って形成し、
蓋本体で格納室用開口を覆蓋したときガイド開口の周囲に圧接する第２シール部材を蓋本体の裏面に固着し、
蓋本体で格納室用開口を覆蓋したときガイド開口の周囲に圧接する第３シール部材をロック摘みの裏面に固着したことを特徴とする。
【０００７】
請求項２に記載の発明は、請求項１に記載の蓋の防水構造において、蓋本体の一端に係合部を形成し、ボディに被係合部を形成し、係合部を被係合部に係合することにより蓋本体をボディに着脱可能かつ回動可能に組み付けたことを特徴とする。
【発明の効果】
【０００８】
請求項１に記載の蓋の防水構造によれば、蓋本体で格納室用開口を覆蓋し、ロック摘みを回転させてロック片を係合凸条に係合させると、蓋本体がボディにロックされる。蓋本体をボディにロックすることにより、第１シール部材が格納室用開口の周囲に圧接して格納室用開口から格納室へ水が浸入するのを防止できる。同時に、第２シール部材と第３シール部材がガイド開口の周囲に圧接し、ガイド開口及び摘み本体を組み付けた貫通穴からボディ内部へ水が浸入するのを防止できる。
【０００９】
しかして、請求項１に記載の発明によれば、ロック片が摺動可能に係合する係合凸条の厚みがガイド開口の始端側から終端側へ漸増しているので、ロック摘みの回転角度が増すほどロック片の係合位置における係合凸条の厚みが大きくなる。そのため、蓋本体をボディに組み付けられた一端を支点にして回動させ、第１シール部材、第２シール部材及び第３シール部材をそれぞれ格納室用開口の周囲とガイド開口の周囲に圧接させ、ロック片を係合凸条に係合させてロック摘みを回すと、ロック摘みの回転角度が増すほど、一端を支点にして回動した蓋本体によって第１シール部材、第２シール部材及び第３シール部材を格納室用開口の周囲とガイド開口の周囲に圧接する押圧力が増加する。そのため、蓋本体のボディへの組み付け箇所にガタが生じても、ロック摘みの回転角度を大きくすることにより、第１シール部材を格納室用開口の周囲に圧接する押圧力及び第２シール部材と第３シール部材をガイド開口の周囲に圧接する押圧力の低下を防止でき、防水性能を維持できる。
【００１０】
請求項２に記載の発明によれば、蓋本体を着脱可能にボディに組み付けるので、蓋をボディから取り外して、格納室にメモリカードやバッテリを格納でき、メモリカードやバッテリの格納操作が容易になる。また、蓋本体の係合部をボディの被係合部に係合することにより蓋本体をボディに回動可能に組み付けるので、ヒンジを構成する部品を省略できる。そのため製造コストを低減でき、また蓋本体のボディへの組み付け箇所の厚み、ひいては電子機器のボディの厚みを薄くできる。
【図面の簡単な説明】
【００１１】
【図１】本発明の一実施例に係る蓋の防水構造を備えたデジタルカメラの表側を示す斜視図である。
【図２】同デジタルカメラの裏側を示す斜視図である。
【図３】同デジタルカメラの蓋を取り外した裏側を示す斜視図である。
【図４】同デジタルカメラの蓋の裏面を示す斜視図である。
【図５】同デジタルカメラの蓋を示す断面図である。
【図６】同デジタルカメラの蓋に組み付けられるロック摘みの裏面を示す斜視図である。
【図７】同デジタルカメラのボディを示す断面図である。
【図８】同デジタルカメラのボディの一部を示す説明図である。
【図９】同デジタルカメラのボディとボディに組み付けた蓋を示す断面図である。
【実施例】
【００１２】
以下に本発明を図面に基づき説明するに、図１及び図２には本発明の一実施例に係る蓋の防水構造を備えたデジタルカメラ１０が示されている。当該デジタルカメラ１０はボディ１１の正面に撮影レンズ１２を備えている。ボディ１１の側面には電源スイッチ１３、動画撮影スイッチ１４、静止画撮影スイッチ１５、補助光スイッチ１６が設けられている。詳しくは後述するが、ボディ１１の背面には図３に示すようにメモリカード１７の格納室用開口１８と一対の第１ガイド開口１９，１９及び第２ガイド開口２０が形成され、蓋本体２１で格納室用開口１８、第１ガイド開口１９，１９及び第２開口２０が開閉可能に覆蓋されている。メモリカード１７はＷｉ−Ｆｉ用アンテナ１７ａを端部に内蔵している。格納室用開口１８にメモリカード１７を挿入したとき、ボディ１１に内蔵されている回路基板２２及びボディ１１のバッテリ収納室に装填されるバッテリ２３とメモリカード１７のＷｉ−Ｆｉ用アンテナ部分１７ａが重ならないように格納室がボディ１１に配置されている。
【００１３】
図４及び図５に示すように、蓋本体２１の一端面に３個の係合突起が２４設けられている。蓋本体２１の一端側の裏面にプラスチックゴム製の第１シール部材２５が固着されている。第１シール部材２５は長方形に成形され、四周に凸条２５ａが形成されるとともに、中央部に長手方向に延びる１本の凸条２５ｂが形成されている。
【００１４】
蓋本体２１の他端側の裏面には円形の凸条２６が一体成形され、円形の凸条２６の内側にプラスチックゴム製でリング状の第２シール部材２７が固着されている。覆蓋本体２１の他端側には円形の凹部２８が形成され、円形の凹部２８の中心部に貫通穴２９が形成されている。
【００１５】
蓋本体２１の円形凹部２８にロック摘み３０が回転可能に組み付けられている。図６に示すように、ロック摘み３０は薄い円盤状の摘み本体３１と、プラスチックゴム製で円形の第３シール部材３２及び円形のストッパプレート３３を備えている。第３シール部材３２は摘み本体３１の裏面に固着されている。また、第３シール部材３２は外周部にリング状の凸条３２ａが形成されている。摘み本体３１の裏面中心部に筒軸部３４と２本のロック片３５、及び筒軸部３４の中心部に補強片３６が一体成形されている。筒軸部３４と両ロック片３５は第３シール部材３２を貫通している。また、両ロック片３５は筒軸部３４の中心線に関して対象位置に配置されている。各ロック片３５の下端部は反筒軸部側に屈曲してフック３５ａを形成している。
【００１６】
蓋本体２１の円形凹部２８と、円形凹部２８の中心部に形成された円形の貫通穴２９との間に、貫通穴２９を囲むように２本の円弧形の第１ガイド開口３７が形成されている。摘み本体３１は、貫通穴２９に筒軸部３４を挿通し、第１ガイド開口３７と、第３シール部材に形成した開口３２ｂにロック片３５を挿通した後、補強片３６にストッパプレート３３をビス３８で固定することにより、ストッパプレート３３によって貫通穴２９から抜け止めされ、かつ貫通穴２９に回転可能に組み付けられている。第１ガイド開口３７は摘み本体３１を回転したときロック片３５の回動を許容する所要の曲率半径を有する。摘み本体３１の表面にはコインの端部が係合するコイン用溝３９が形成されている。
【００１７】
デジタルカメラ１０のボディ１１の背面には、図３及び図７に示すように蓋本体２１が嵌合する長方形の凹部４０が形成され、凹部４０の一端に蓋本体２１の係合突起２４が係合する被係合穴４１が形成されている。蓋本体２１は係合突起２４を被係合穴４１に係合させることにより、ボディ１１に離脱可能かつ回動可能に装着できる。また、凹部４１内にはメモリカード４２の格納室４３の格納室用開口１８と第２ガイド開口１９及び第３ガイド開口２０が形成されている。
【００１８】
第２ガイド開口１９は蓋本体２１を閉じて凹部４０に倒伏したとき、蓋本体２１の第１ガイド開口３７に対面するように配置されている。そして、蓋本体２１を閉じたとき、摘み本体３１のロック片３５がボディ１１中に進入し、かつ摘み本体３１を回転したときロック片３５の回動を許容するように第１ガイド開口１９と同じ曲率半径を有している。
【００１９】
図８に拡大して示すように、第２ガイド開口１９の外側の側縁に沿って円弧形の係合凸条４４が一体成形されている。この係合凸条４４は、厚みが第２ガイド開口１９の始端側１９ａから終端側１９ｂへ漸増し、蓋本体２１で格納室用開口１８を覆蓋してロック摘み３０を回転させたときロック片３５のフック３５ａが摺動可能に係合するように形成されている。また、第２ガイド溝１９の始端部１９ａにはフック３５ａが進入できるスペースが形成されている。さらにまた、係合凸条４４の中間部にはストッパ突起４５が一体成形されている。
【００２０】
第３ガイド開口２０は第２ガイド開口１９の内側に形成され、蓋本体２１を閉じたときビス３８がボディ１１中に進入し、かつ摘み本体３１を回転したとき進入したビス３８の回動を許容するように所要の形状を備えている。
【００２１】
図９に示すように、蓋本体２１はその係合突起２４をボディ１１の被係合穴４１に係合することにより、ボディ１１に回動可能に組み付けられる。蓋本体２１を回動し、ボディ１１の凹部４０に倒伏させ、蓋本体２１で格納室４３の格納室用開口１８を閉じると、第１シール部材２５の四周の凸条２５ａが格納室用開口１８の周囲に当接し、中央部の凸条２５ｂが格納室用開口１８から露出しているメモリカード４２の端部に当接する。また、第２シール部材２７が第２ガイド開口１９の周囲に当接する。さらにまた、第３シール部材３２のリング状の凸条３２ａが第２ガイド開口１９の周囲に当接する。また、ロック片３５のフック３５ａが第２ガイド開口１９の始端部１９ａのスペースに進入する。
【００２２】
蓋本体２１で格納室用開口１８を閉じた後、摘み本体３１のコイン溝３９にコインの端部を係合し、コインで摘み本体３１を回転させると、ロック片３５のフック３５ａが係合凸条４４の先端部に係合し、係合凸条４４に摺接しながら係合凸条４４の先端部から後端側へとガイド開口１９に沿って回動する。そして、摘み本体３１の最大回転角度はロック片３５が当接するストッパ突起４５によって制限される。
【００２３】
本実施例に係る蓋の防水構造によれば、ロック片３５が摺動可能に係合する円弧形の係合凸条４４の厚みが先端から後端へ漸増しているので、ロック摘み３０の摘み本体３１の回転角度が増すほどロック片３５のフック３５ａの係合位置における係合凸条４４の厚みが大きくなる。そのため、蓋本体２１を、係合突起２４と被係合穴４１との組み付け部を支点にして回動させ、第１シール部材２５、第２シール部材２７及び第３シール部材３２をそれぞれ格納室用開口１８の周囲とガイド開口２０の周囲に圧接させ、ロック片３５を係合凸条４４に係合させてロック摘み３０を回すと、ロック摘み３０の回転角度が増すほど、係合突起２４と被係合穴４１との組み付け部を支点にして回動した蓋本体２１によって第１シール部材２５、第２シール部材２７及び第３シール部材３２を格納室用開口１８の周囲とガイド開口２０の周囲に圧接する押圧力が増加する。そのため、蓋本体２１のボディ１１への組み付け箇所にガタが生じた場合、ロック摘み３０の摘み本体３１の回転角度を大きくすることにより第１シール部材２５が格納室用開口１８の周囲に圧接する力及び第２シール部材２７と第３シール部材３２が第１ガイド開口１９及び第２ガイド開口２０の周囲に圧接する力を増大させて、防水性能を維持できる。
【００２４】
また、蓋本体２１を係合突起２４と被係合穴４１によって着脱可能にボディ１１に組み付けるので、蓋本体２１をボディ１１から取り外して、格納室４３にメモリカード４２を格納できる。そのため、メモリカード４２の格納操作が容易になる。さらにまた、蓋本体２１の係合突起２４をボディ１１の被係合穴４１に係合することにより蓋本体２１をボディ１１に回動可能に組み付けるので、ヒンジを構成する部品を省略できる。そのため製造コストを低減でき、また蓋本体２１のボディ１１への組み付け部位の厚み、ひいてはデジタルカメラ１０のボディ１１の厚みを薄くできる。
【符号の説明】
【００２５】
１０…デジタルカメラ
１１…ボディ
１８…格納室用開口
１９…第１ガイド開口
２１…蓋本体
２４…係合突起
２５…第１シール部材
２７…第２シール部材
２９…貫通穴
３０…ロック摘み
３１…摘み本体
３２…第３シール部材
３５…ロック片
３５ａ…フック
４１…被係合穴
４２…メモリカード
４３…格納室
４４…係合凸条
【図１】
2014052483.tif 000003
【図２】
2014052483.tif 000004
【図３】
2014052483.tif 000005
【図４】
2014052483.tif 000006
【図５】
2014052483.tif 000007
【図６】
2014052483.tif 000008
【図７】
2014052483.tif 000009
【図８】
2014052483.tif 000010
【図９】
2014052483.tif 000011